(57)【要約】【課題】動作寿命を長寿命化できる可動接点体およびプッシュスイッチを提供する。【解決手段】可動接点体１は、ドーム状部１ａと、ドーム状部１ａの外方に連続して形成された支持部１ｂと、を有し、支持部１ｂが配置面ＤＦに接触するように配置される可動接点体において、配置面ＤＦに対して垂直な面で切断したときに、支持部１ｂの配置面ＤＦとの接触個所である接触部１ｃは、配置面ＤＦに対して第１角度ＡＮ１を有することとなる第１外形部１ｄと配置面ＤＦに対して第２角度ＡＮ２を有することとなる第２外形部１ｅとの交点であり、第１外形部１ｄは接触部１ｃを挟んで第２外形部の外方側に配置され、第１角度ＡＮ１は０度以上、かつ第１角度ＡＮ１と第２角度ＡＮ２とを合計した角度は４５度以下である。また、プッシュスイッチ１００は可動接点体１を用いたプッシュスイッチである。【選択図】図２
2015230853.tif 000002
【特許請求の範囲】
【請求項１】
ドーム状部と、
前記ドーム状部の外方に連続して形成された支持部と、を有し、
前記支持部が配置面に接触するように配置される可動接点体において、
配置面に対して垂直な面で切断したときに、前記支持部の配置面との接触個所である接触部は、配置面に対して第１角度を有することとなる第１外形部と配置面に対して第２角度を有することとなる第２外形部との交点であり、
前記第１外形部は前記接触部を挟んで前記第２外形部の外方側に配置され、
前記第１角度は０度以上、かつ前記第１角度と前記第２角度とを合計した角度は４５度以下である
ことを特徴とする可動接点体。
【請求項２】
前記第１角度と前記第２角度とを合計した角度は、３０度以下であることを特徴とする請求項１に記載の可動接点体。
【請求項３】
前記接触部は、前記支持部の外方側の端部から内方側に向かって１０μｍ以上離れた位置に形成されている
ことを特徴とする請求項１または請求項２に記載の可動接点体。
【請求項４】
請求項１ないし請求項３のいずれかに記載の第１外形部と第２外形部とに挟まれた接触部が形成された支持部を備えた可動接点体と、
前記可動接点体と対向する固定接点体と、を有してなり、
前記可動接点体の支持部と前記固定接点体とが当接するように、前記可動接点体が前記固定接点体の上に配置されている
ことを特徴とするプッシュスイッチ。
【請求項５】
前記固定接点体は、第１接点部と、前記第１接点部の周囲に形成された第２接点部と、からなるとともに、前記第２接点部は分割して形成され、
前記可動接点体は、前記第１外形部が形成されていない切断痕部を、前記支持部の外周縁部の対向した位置に有し、
前記支持部は前記第２接点部に接触するように配置されるとともに、前記切断痕部は分割された前記第２接点部の間の位置に配置されている
ことを特徴とする請求項４に記載のプッシュスイッチ。
【発明の詳細な説明】
【技術分野】
【０００１】
本発明は、可動接点体および可動接点体を用いたプッシュスイッチに関し、特に、動作寿命を長寿命化できる可動接点体およびプッシュスイッチに関するものである。
【背景技術】
【０００２】
電子機器では、操作部に可動接点体や、可動接点体を用いたプッシュスイッチを配置し、可動接点体やプッシュスイッチを介して入力操作が行われる製品が多い。このような可動接点体およびプッシュスイッチとしては、下記の特許文献１に記載のプッシュスイッチが知られている。
【０００３】
以下、図１１を用いて、特許文献１に記載のプッシュスイッチ９００について説明する。図１１は特許文献１に記載のプッシュスイッチ９００の構造を示す断面図である。
【０００４】
特許文献１に記載のプッシュスイッチ９００は、図１１に示すように、外側固定接点９０３および中央固定接点９０５を内部空間に備えた箱形ケース９０１と、外側固定接点９０３に接触するとともに中央固定接点９０５と接離可能なドーム状可動接点９１０と、ドーム状可動接点９１０を押圧可能な操作体９０７と、箱形ケース９０１の上部を覆うカバー９０８と、を有している。ドーム状可動接点９１０は、外周縁部が外側固定接点９０３上に配置されるとともに、中央固定接点９０５とは離間した状態で箱形ケース９０１の内部に収納され、ドーム状可動接点９１０の上に重ねて操作体９０７が配置されている。また、操作体９０７の一部の上に重ねて箱形ケース９０１の上部を覆うようにカバー９０８が配置され、カバー９０８を箱形ケース９０１に係止することで、ドーム状可動接点９１０および操作体９０７が箱形ケース９０１内に上下方向に動作可能に保持され、プッシュスイッチ９００が形成される。プッシュスイッチ９００は、操作体９０７を介してドーム状可動接点９１０を操作することで、ドーム状可動接点９１０と中央固定接点９０５との接離状態を切り替えることができる。このようにドーム状可動接点９１０と中央固定接点９０５との接離状態を切り替えることで、ドーム状可動接点９１０を介して外側固定接点９０３と中央固定接点９０５との導通状態を切り替え、プッシュスイッチとして機能させる。
【先行技術文献】
【特許文献】
【０００５】
【特許文献１】特開平１１−６７００２号公報
【発明の概要】
【発明が解決しようとする課題】
【０００６】
このように電子機器の操作部、特に使用頻度の高い操作部に用いられるプッシュスイッチにはより長い期間問題なく使用できるプッシュスイッチ、すなわち動作寿命が長いプッシュスイッチが求められる。プッシュスイッチ９００においては、操作するとドーム状可動接点９１０の外周縁部は外側に広がるように変形するので、ドーム状可動接点９１０の外周縁部は外側固定接点９０３の上を摺接する。また、ドーム状可動接点９１０は打ち抜き加工されているため、外周縁部にはほぼ直角のエッジが形成されている。そのため、ドーム状可動接点９１０の外周縁部と外側固定接点９０３とが摺接を繰り返すと、ドーム状可動接点９１０の外周縁部が外側固定接点９０３を削り、その削った箇所に外周縁部が食い込むことが発生する場合がある。このような食い込みが発生すると、ドーム状可動接点９１０は外側へ円滑に広がることができなくなり、そのため、応力が集中する箇所発生し、その箇所にクラックが発生するなどの、動作寿命が低下する不具合が発生することが懸念される。
【０００７】
本発明は、上述した課題を解決して、動作寿命を長寿命化できる可動接点体およびプッシュスイッチを提供するものである。
【課題を解決するための手段】
【０００８】
本発明の可動接点体は、ドーム状部と、前記ドーム状部の外方に連続して形成された支持部と、を有し、前記支持部が配置面に接触するように配置される可動接点体において、配置面に対して垂直な面で切断したときに、前記支持部の配置面との接触個所である接触部は、配置面に対して第１角度を有することとなる第１外形部と配置面に対して第２角度を有することとなる第２外形部との交点であり、前記第１外形部は前記接触部を挟んで外前記第２外形部の外方側に配置され、前記第１角度は０度以上、かつ前記第１角度と前記第２角度とを合計した角度は４５度以下である、ことを特徴とする。
【０００９】
これにより、接触部の成す角度は１３５度以上の鈍角となることから、接触部が配置面の上を摺動した場合に、配置面を削り、配置面に食い込むことが発生しにくくなる。したがって、可動接点体が配置面へ食い込むことによる動作寿命の低下を抑制でき、動作寿命が長い可動接点体を提供することができる。
【００１０】
また、本発明の可動接点体は、前記第１角度と前記第２角度とを合計した角度は、３０度以下である、ことを特徴とする。
【００１１】
これにより、接触部の成す角度が１５０度以上の緩やかな角度になり、可動接点体が配置面に食い込みにくくすることができる。
【００１２】
また、本発明の可動接点体は、前記接触部は、前記支持部の外方側の端部から内方側に向かって１０μｍ以上離れた位置に形成されている、ことを特徴とする。
【００１３】
これにより、接触部の位置が、支持部の外方側の端部から内方側に向かって１０μｍ以上離れた位置であれば、支持部の外方側の端部における、下側の角部に潰し加工を施すことで、第１外形部および接触部を容易に形成することができる。
【００１４】
また、本発明のプッシュスイッチは、請求項１ないし請求項３のいずれかに記載の第１外形部と第２外形部とに挟まれた接触部が形成された支持部を備えた可動接点体と、前記可動接点体と対向する固定接点体と、を有してなり、前記可動接点体の支持部と前記固定接点体とが当接するように、前記可動接点体が前記固定接点体の上に配置されている、ことを特徴とする。
【００１５】
これにより、請求項１ないし請求項３のいずれかに記載の可動接点体を用いてプッシュスイッチを構成することで、動作寿命が長いプッシュスイッチを提供することができる。
【００１６】
また、本発明のプッシュスイッチは、前記固定接点体は、第１接点部と、前記第１接点部の周囲に形成された第２接点部と、からなるとともに、前記第２接点部は分割して形成され、前記可動接点体は、前記第１外形部が形成されていない切断痕部を、前記支持部の外周縁部の対向した位置に有し、前記支持部は前記第２接点部に接触するように配置されるとともに、前記切断痕部は分割された前記第２接点部の間の位置に配置されている、ことを特徴とする。
【００１７】
これにより、第１外形部が形成されていない切断痕部が、固定接点部の第２接点部に食い込むことを低減することができる。
【発明の効果】
【００１８】
本発明によれば、可動接点体が固定接点部へ食い込むことによる動作寿命の低下を抑制でき、動作寿命が長い可動接点体を提供することができる。
【図面の簡単な説明】
【００１９】
【図１】第１実施形態における可動接点体１を示す図であり、図１（ａ）は可動接点体１の外観を示す斜視図であり、図１（ｂ）は図１（ａ）に記載のＺ１方向側から見た状態の可動接点体１を示す平面図であり、図１（ｃ）は図１（ａ）に記載のＸ１方向側から見た状態の可動接点体１を示す側面図である。
【図２】図１（ｂ）に記載の断面線Ａ−Ａにおける断面を示す断面図である。
【図３】第２実施形態におけるプッシュスイッチ１００の構成を示す分解斜視図である。
【図４】第２実施形態におけるプッシュスイッチ１００の外観を示す斜視図である。
【図５】第２実施形態におけるケース２を示す図であり、図５（ａ）はケース２の外観を示す斜視図であり、図５（ｂ）は図５（ａ）に記載のＸ１方向側から見た状態のケース２を示す側面図である。
【図６】図５（ａ）に記載のＺ１方向側から見た状態のケース２を示す平面図である。
【図７】第２実施形態における固定接点体３を示す斜視図である。
【図８】第２実施形態における覆い部材４を示す図であり、図８（ａ）は覆い部材４の外観を示す斜視図であり、図８（ｂ）は図８（ａ）に記載のＺ１方向側から見た状態の覆い部材４を示す平面図であり、図８（ｃ）は図８（ｂ）に記載の断面線Ｅ−Ｅで切断した断面を示す断面図である。
【図９】第２実施形態のおけるプッシュスイッチ１００の構造を示す模式図であり、図９（ａ）は初期状態における各構成部品の位置関係を示す模式断面図であり、図９（ｂ）は入力操作された状態における各構成部品の位置関係を示す模式断面図である。
【図１０】第２実施形態における可動接点体１がケース２の収容空間２ａ内に配置された状態を図４に記載のＺ１方向側から示した平面図である。
【図１１】特許文献１に記載のプッシュスイッチ９００の構造を示す断面図である。
【発明を実施するための形態】
【００２０】
［第１実施形態］
以下に第１実施形態における可動接点体１について説明する。
【００２１】
まず始めに第１実施形態における可動接点体１の構成について図１および図２を用いて説明する。図１は第１実施形態における可動接点体１を示す図であり、図１（ａ）は可動接点体１の外観を示す斜視図であり、図１（ｂ）は図１（ａ）に記載のＺ１方向側から見た状態の可動接点体１を示す平面図であり、図１（ｃ）は図１（ａ）に記載のＸ１方向側から見た状態の可動接点体１を示す側面図である。なお、図１（ｃ）においては、可動接点体１が配置面ＤＦに配置された状態として記載している。図２は図１（ｂ）に記載の断面線Ａ−Ａにおける断面を示す断面図である。
【００２２】
可動接点体１は金属板からなり、図１に示すように、円形のドーム状に形成されたドーム状部１ａと、ドーム状部１ａの外方に連続して形成された支持部１ｂと、を有している。なお、第１実施形態においては、可動接点体１は、上方（Ｚ１方向側）から平面視した場合に、長方形状となるように形成され、支持部１ｂはドーム状部１ａを挟んで対向し、長方形状の短辺となる方向側（Ｙ１方向側とＹ２方向側）にのみ形成されている。また、長方形状の短辺となる支持部１ｂの外周縁部は、Ｚ１方向側からの平面視で、ドーム状部１ａの頂部を中心とした円弧を成すように形成されている。また、可動接点体１は、支持部１ｂの外周縁部の対向した位置に切断痕部１ｆを有している。第１実施形態においては、支持部１ｂの外周縁部の成すＹ１方向側とＹ２方向側の円弧の中点付近にそれぞれ設けられている。このように形成された可動接点体１は、使用される際には、可動接点体１が配置される箇所（配置面ＤＦ）に支持部１ｂが接触するように配置される。支持部１ｂの配置面ＤＦとの接触個所である接触部１ｃは、図２に示すように、配置面ＤＦに対して垂直な面で切断したときに、配置面ＤＦに対して第１角度ＡＮ１を有することとなる第１外形部１ｄと配置面ＤＦに対して第２角度ＡＮ２を有することとなる第２外形部１ｅとの交点である。第１外形部１ｄは接触部１ｃの外方側（ＯＳ方向側）に配置され、第２外形部１ｅは接触部１ｃの内方側（ＩＳ方向側）に配置され、第１角度ＡＮ１は０度以上、かつ第１角度ＡＮ１と第２角度ＡＮ２とを合計した角度は４５度以下である。なお、第１実施形態においては、第１角度ＡＮ１と第２角度ＡＮ２とを合計した角度は、３０度以下で管理されている。また、接触部１ｃは、支持部１ｂの外方側の端部１ｇから支持部１ｂの延びる方向に沿って、内方側（ＩＳ方向側）に向かってＢ部の寸法が１０μｍ以上離れた位置に形成されている。なお、切断痕部１ｆが設けられた箇所には、第１外形部１ｄが形成されていない。このように形成された可動接点体１は、ドーム状部１ａの頂部付近を上方（Ｚ１方向）側から下方（Ｚ２方向）側へ押圧することで、下方へ撓み、押圧を解除すると操作前の状態に復帰する。
【００２３】
以下、第１実施形態としたことによる効果について説明する。
【００２４】
第１実施形態の可動接点体１は、ドーム状部１ａと、ドーム状部１ａの外方に連続して形成された支持部１ｂと、を有し、支持部１ｂが配置面ＤＦに接触するように配置される可動接点体において、配置面ＤＦに対して垂直な面で切断したときに、支持部１ｂの配置面ＤＦとの接触個所である接触部１ｃは、配置面ＤＦに対して第１角度ＡＮ１を有することとなる第１外形部１ｄと配置面ＤＦに対して第２角度ＡＮ２を有することとなる第２外形部１ｅとの交点であり、第１外形部１ｄは接触部１ｃを挟んで第２外形部１ｅの外方側に配置され、第１角度ＡＮ１は０度以上、かつ第１角度ＡＮ１と第２角度ＡＮ２とを合計した角度は４５度以下である、ことを特徴とする。
【００２５】
これにより、接触部１ｃの成す角度は１３５度以上の鈍角となることから、接触部１ｃが配置面ＤＦの上を摺動した場合に、可動接点体１は、第１外形部１ｄおよび第２外形部１ｅが接触部１ｃを中心に回動するように配置面ＤＦに摺接する。そのため、配置面ＤＦを削り、配置面ＤＦに食い込むことが発生しにくくなる。なお、仮に、接触部１ｃの成す角度が鋭角であった場合には、摺接する際に接触部１ｃに力が集中し、配置面ＤＦを削り、食い込みやすくなる。可動接点体１が配置面ＤＦに食い込むと可動接点体１の配置面ＤＦに対する摺接が阻害されることとなり、可動接点体１に不要な荷重が掛るために接触部１ｃの周辺で破損が発生してしまうことがある。したがって、接触部１ｃの成す角度は１３５度以上の鈍角とすることで、可動接点体１が配置面ＤＦへ食い込むことによる動作寿命の低下を抑制でき、動作寿命が長い可動接点体１を提供することができる。
【００２６】
また、第１実施形態の可動接点体１は、第１角度ＡＮ１と第２角度ＡＮ２とを合計した角度は、３０度以下である、ことを特徴とする。
【００２７】
これにより、接触部１ｃの成す角度が１５０度以上の緩やかな角度になり、可動接点体１が固定接点部に食い込みにくくすることができる。
【００２８】
また、第１実施形態の可動接点体１は、接触部１ｃは、支持部１ｂの外方側の端部１ｇから内方側に向かって１０μｍ以上離れた位置に形成されている、ことを特徴とする。
【００２９】
これにより、接触部１ｃの位置が、支持部１ｂの外方側の端部１ｇから内方側に向かって１０μｍ以上離れた位置であれば、支持部１ｂの外方側の端部１ｇにおける、下側の角部に潰し加工（面取り加工）を施すことで、第１外形部１ｄおよび接触部１ｃを容易に形成することができる。
【００３０】
［第２実施形態］
以下に第２実施形態におけるプッシュスイッチ１００について説明する。プッシュスイッチ１００は、第１実施形態に記載の可動接点体１を用いたプッシュスイッチであり、以下の説明においては可動接点体１に関する詳細な説明は省略する。始めにプッシュスイッチ１００の構成について説明する。なお、以下の説明においては図３ないし図８を用いて説明する。図３は第２実施形態におけるプッシュスイッチ１００の構成を示す分解斜視図である。図４は第２実施形態におけるプッシュスイッチ１００の外観を示す斜視図である。図５は第２実施形態におけるケース２を示す図であり、図５（ａ）はケース２の外観を示す斜視図であり、図５（ｂ）は図５（ａ）に記載のＸ１方向側から見た状態のケース２を示す側面図である。図６は図５（ａ）に記載のＺ１方向側から見た状態のケース２を示す平面図である。図７は第２実施形態における固定接点体３を示す斜視図である。図８は第２実施形態における覆い部材４を示す図であり、図８（ａ）は覆い部材４の外観を示す斜視図であり、図８（ｂ）は図８（ａ）に記載のＺ１方向側から見た状態の覆い部材４を示す平面図であり、図８（ｃ）は図８（ｂ）に記載の断面線Ｅ−Ｅで切断した断面を示す断面図である。
【００３１】
プッシュスイッチ１００は、図３に示すように、可動接点体１と、固定接点体３が一体形成されたケース２と、覆い部材４と、を備え、図４に示すように直方体状に形成されている。プッシュスイッチ１００は、上方へ突出した覆い部材４の突起部４ｂの部分を下方（Ｚ２方向）へ押圧することで入力操作を行うことができる。
【００３２】
可動接点体１は、第１実施形態に記載の第１外形部１ｄと第２外形部１ｅとに挟まれた接触部１ｃが形成された支持部１ｂを備えた可動接点体１である。
【００３３】
ケース２は合成樹脂材からなり、図５に示すように、直方体状に形成され、金属板からなる固定接点体３が一体に形成されている。ケース２は、可動接点体１を配置可能で上方が開放された収容空間２ａを備えており、収容空間２ａの内部底面２ｂには固定接点体３の一部が露出している。固定接点体３は、図６に示すように、内部底面２ｂの中央部に第１接点部３ａが露出するとともに、第１接点部３ａの周囲に第２接点部３ｂが露出して形成されている。なお、第２接点部３ｂは内部底面２ｂの四隅付近に分割して形成されている。また、第１接点部３ａおよび第２接点部３ｂは、内部底面２ｂから上方（図５に示すＺ１方向）へ突出するように設けられている。また、固定接点体３の一部は、ケース２の長手方向側（Ｙ１−Ｙ２方向側）の底面からそれぞれ長手方向へ突出した外部接続部３ｃが形成されている。なお、固定接点体３は、図７に示すように、第１接点部３ａと一方の外部接続部３ｃとを備える第１接点部材３ｄと、第２接点部３ｂと他方の外部接続部３ｃとを備える第２接点部材３ｅと、から構成されており、第１接点部材３ｄと第２接点部材３ｅとは離間した状態でケース２と一体に形成されている。したがって、第１接点部材３ｄと第２接点部材３ｅとは電気的に接続されていない。
【００３４】
覆い部材４は合成樹脂材からなり、図８に示すように、シート状に形成されている。覆い部材４は、ケース２の収容空間２ａの上方を覆うことができる長方形のシート状に形成されたシート部４ａを有している。シート部４ａの中心部には上方（Ｚ１方向）へ突出した突起部４ｂが形成されている。突起部４ｂの下面側は凹形状となっており、合成樹脂材からなる押子部材４ｃが一体に形成されている。また、シート部４ａの長手方向（Ｙ１−Ｙ２方向）の両端の下面には、粘着剤が塗布された粘着部４ｄが形成されている。
【００３５】
次に、プッシュスイッチ１００の構造について、図９および図１０を用いて説明する。図９は第２実施形態のおけるプッシュスイッチ１００の構造を示す模式図であり、図９（ａ）は初期状態における各構成部品の位置関係を示す模式断面図であり、図９（ｂ）は入力操作された状態における各構成部品の位置関係を示す模式断面図である。図１０は第２実施形態における可動接点体１がケース２の収容空間２ａ内に配置された状態を図４に記載のＺ１方向側から示した平面図である。
【００３６】
可動接点体１は、図９（ａ）に示すように、ケース２の収容空間２ａの内部に、可動接点体１の支持部１ｂと固定接点体３とが当接するように、可動接点体１が固定接点体３の上に配置されている。このとき、図１０に示すように、支持部１ｂは、収容空間２ａの内部底面２ｂの四隅に分割して配置された第２接点部３ｂに接触するように配置されるとともに、切断痕部１ｆは分割された第２接点部３ｂの間の位置に配置されている。第２接点部３ｂの上面（支持部１ｂに接触する面）は、第１実施形態における配置面ＤＦとなる。また、第２接点部３ｂは内部底面２ｂから上方へ突出して設けられているため、切断痕部１ｆは内部底面２ｂから離間している。覆い部材４は、突起部４ｂが上方（Ｚ１方向）へ突出するとともに、収容空間２ａを覆うように、ケース２の上に配置される。なお、覆い部材４は、粘着部４ｄ（図８参照）によりケース２に固定され、可動接点体１を収容空間２ａ内に保持する。また、覆い部材４の押子部材４ｃは、可動接点体１のドーム状部１ａの頂部に接触可能な位置に配置される。このようにして、プッシュスイッチ１００が形成される。
【００３７】
次に、プッシュスイッチ１００の動作について、図９を用いて説明する。
【００３８】
プッシュスイッチ１００は、入力操作を受けていない初期状態においては、図９（ａ）に示すように、第１接点部３ａと可動接点体１とは離間しており、第１接点部３ａと可動接点体１とは電気的に接続されていない。プッシュスイッチ１００は、覆い部材４の突起部４ｂの周辺を下方へ押圧することで入力操作を行うことができる。突起部４ｂを下方へ押圧操作すると、図９（ｂ）に示すように、押子部材４ｃを介して可動接点体１のドーム状部１ａが押圧され、下方へ撓む。下方へ撓んだ可動接点体１は第１接点部３ａに接触し、第１接点部３ａと可動接点体１とは電気的に接続される。すなわち、可動接点体１を介して第１接点部３ａと第２接点部３ｂとは電気的に接続される。また、突起部４ｂへの押圧を解除すると、可動接点体１の弾性力によりプッシュスイッチ１００は図９（ａ）に示す初期状態に復帰し、第１接点部３ａと可動接点体１との電気的な接続は解除される。このように固定接点体３と可動接点体１とが接離することで、プッシュスイッチ１００は電子機器の回路の切り替えを行うことでプッシュスイッチとして機能する。
【００３９】
以下、第２実施形態としたことによる効果について説明する。
【００４０】
第２実施形態のプッシュスイッチ１００は、第１実施形態に記載の第１外形部１ｄと第２外形部１ｅとに挟まれた接触部１ｃが形成された支持部１ｂを備えた可動接点体１と、可動接点体１と対向する固定接点体３と、を有してなり、可動接点体１の支持部１ｂと固定接点体３とが当接するように、可動接点体１が固定接点体３の上に配置されている、ことを特徴とする。
【００４１】
これにより、請求項１ないし請求項３のいずれかに記載の可動接点体１を用いてプッシュスイッチを構成することで、動作寿命が長いプッシュスイッチを提供することができる。
【００４２】
また、第２実施形態のプッシュスイッチ１００は、固定接点体３は、第１接点部３ａと、第１接点部３ａの周囲に形成された第２接点部３ｂと、からなるとともに、第２接点部３ｂは分割して形成され、可動接点体１は、第１外形部１ｄが形成されていない切断痕部１ｆを、支持部１ｂの外周縁部の対向した位置に有し、支持部１ｂは第２接点部３ｂに接触するように配置されるとともに、切断痕部１ｆは分割された第２接点部３ｂの間の位置に配置されている、ことを特徴とする。
【００４３】
これにより、第１外形部１ｄが形成されていない切断痕部１ｆが、固定接点部の第２接点部３ｂに食い込むことを低減することができる。
【００４４】
以上のように、本発明の実施形態に係る可動接点体およびプッシュスイッチを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００４５】
第１実施形態の可動接点体１において、可動接点体１の形状は上方から見た場合に長方形状であったが、例えば、円形や十字型など異なる形状であってもよい。また、上方から見た場合の形状が長方形状であって、ドーム状部１ａにスリットを入れるなどして幅が細くなったものであってもよい。
【００４６】
第１実施形態の可動接点体１および第２実施形態のプッシュスイッチ１００において、第１角度ＡＮ１は０度よりも大きい形状で図示しているが、第１角度ＡＮ１が０度であってもよい。すなわち、接触部１ｃを含む第１外形部１ｄが配置面ＤＦ（第２接点部３ｂ）に面接触していてもよい。
【００４７】
第２実施形態のプッシュスイッチ１００において、プッシュスイッチ１００は、覆い部材４の押子部材４ｃを介して可動接点体１を押圧する構成としたが、突起部４ｂおよび押子部材４ｃをなくすとともに、覆い部材４に操作者からの操作を受ける操作部材を設け、操作部材で覆い部材４を介して可動接点体１を押圧する構成であってもよい。
【符号の説明】
【００４８】
１      可動接点体
１ａ    ドーム状部
１ｂ    支持部
１ｃ    接触部
１ｄ    第１外形部
１ｅ    第２外形部
１ｆ    切断痕部
１ｇ    端部
２      ケース
２ａ    収容空間
２ｂ    内部底面
３      固定接点体
３ａ    第１接点部
３ｂ    第２接点部
３ｃ    外部接続部
３ｄ    第１接点部材
３ｅ    第２接点部材
４      覆い部材
４ａ    シート部
４ｂ    突起部
４ｃ    押子部材
４ｄ    粘着部
１００  プッシュスイッチ
ＡＮ１  第１角度
ＡＮ２  第２角度
ＤＦ    配置面
【図１】
2015230853.tif 000003
【図２】
2015230853.tif 000004
【図３】
2015230853.tif 000005
【図４】
2015230853.tif 000006
【図５】
2015230853.tif 000007
【図６】
2015230853.tif 000008
【図７】
2015230853.tif 000009
【図８】
2015230853.tif 000010
【図９】
2015230853.tif 000011
【図１０】
2015230853.tif 000012
【図１１】
2015230853.tif 000013